(57)【要約】【課題】既存の変換式錠の鍵穴面から錠軸までの長さを長くして使用できると共に、キーの変換操作を容易に行うことができるキー変換式錠を提供する。【解決手段】キー変換式錠は、末端にフランジ部を設けた外筒３と、外筒の内側に回動可能に嵌挿された内筒４と、内筒の端部近傍に内筒と係合可能に外筒の内側に配設された錠軸５と、を備えてなる変換式錠本体２を先端部に有している。内筒４と外筒３に穿設された複数の貫通孔には、各々ドライブピンとコード設定用スペーサとベースピンがコイルばねにより付勢されて挿入され、変換式錠本体２のフランジ部７の下部に延設ブロック１０が固定される。延設ブロック１０内に連結軸１５が変換式錠本体の錠軸と連結して回動可能に嵌入される共に、操作軸１８が操作ノブ６と係合し且つ回動可能に嵌入され、操作軸１８の回動により操作ノブ６が移動してキー変換のためのリセットが行われる。【選択図】図１
2006288487.tif 000002
【特許請求の範囲】
【請求項１】
末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を先端部に有したキー変換式錠であって、
該変換式錠本体の内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、リセット用貫通孔にはリセットピンが錠軸と内筒を係合させるために挿入され、該リセットピンの係合を解除させるために操作ノブが変換式錠本体の末端に移動可能に設けられ、内筒と外筒の複数の貫通孔には、各々ドライブピンとコード設定用スペーサとベースピンがコイルばねにより付勢されて挿入され、該変換式錠本体のフランジ部の下部に延設ブロックが固定され、該延設ブロック内に連結軸が該変換式錠本体の錠軸と連結して回動可能に嵌入される共に、操作軸が前記操作ノブと係合し且つ回動可能に嵌入され、該操作軸の回動により該操作ノブが移動してキー変換のためのリセットが行われることを特徴とするキー変換式錠。
【請求項２】
前記操作軸の末端に係合摘み部が形成され、延設ブロックの端面に該係合摘み部が露出または突出していることを特徴とする請求項１記載のキー変換式錠。
【請求項３】
前記連結軸は延設ブロックに設けた軸用凹部に挿入され、嵌着保持部材を該連結軸の上から該軸用凹部内に嵌め込んで該連結軸が回動可能に保持され、前記操作軸は延設ブロックに設けた操作軸用凹部に挿入され、嵌着保持部材を該操作軸の上から該操作軸用凹部内に嵌め込んで該操作軸が回動可能に保持されることを特徴とする請求項１記載のキー変換式錠。
【発明の詳細な説明】
【技術分野】
【０００１】
本発明は、スロットマシン、パチンコ機等のゲーム機用施錠装置に使用され、キーコードを変更して解錠キーを変換可能なキー変換式錠に関する。
【背景技術】
【０００２】
従来、パチンコ機の施錠装置として、基枠体の内側に連結杆が摺動可能に配設され、基枠体の支持板の上部と下部に鉤部材が、連結杆に連結されて傾動可能に枢支され、基枠体の取付板の中間部に、シリンダ錠がその錠軸を取付板に設けた孔から内側に差し込むように固定され、錠軸の先端に連結杆と係合するカム板が取り付けられた構成の施錠装置が、下記特許文献１などで知られている。
【０００３】
この種の施錠装置は、前面枠の内側に取り付けられ、本体枠内の対応位置には鉤部材が係止される受け金具が取り付けられる。そして、施錠状態において、解錠キーをシリンダ錠に挿入して回すと、その錠軸に取り付けられたカム板が可動し、その回動時にカム板が連結杆に係合してそれを上または下に摺動させ、連結杆の移動により上下の鉤部材が傾動して、本体枠側に設けた受け金具との係合が外れ、解錠される。
【０００４】
ところで、この種のパチンコ機用施錠装置には、シリンダ錠として、解錠キーを変換可能なキー変換式錠が装着される場合が多く、キー変換式錠は、その外観形状を一般な長さと大きさとする通常のシリンダ錠と同じ形状に形成され、キー変換式錠の背面側には、キー変換操作時に操作するためのリセットピン用の操作ノブが設けられている。
【０００５】
キー変換式錠は、概略的には、通常のシリンダ錠と同様な大きさの円筒形の外筒と、その外筒の内側に回動可能に嵌挿された内筒と、その内筒の先端に係合可能に取り付けられた出力軸と、を備えて構成され、内筒と外筒には各々複数の貫通孔が軸方向と直角に、内筒の貫通孔と外筒の貫通孔は各々連通可能な位置に穿設される。そして、内筒と出力軸間にリセット用貫通孔が穿設され、リセット用貫通孔にはリセットピンが出力軸と内筒を係合させるために操作ノブによりに移動可能に挿入される。また、内筒と外筒の複数の貫通孔には、各々ドライブピンとコード設定用のスペーサとベースピンがコイルばねにより内側に付勢されて挿入されている。
【０００６】
そして、キーを変換する際には、現状の解錠キーを鍵穴に挿入し、リセット用の操作ノブを押した状態で、そのキーを１８０度回し、そのキーを鍵穴から抜く。次に、新たなキーを鍵穴に挿入して、元の位置に戻すようにキーを１８０度回動する。この操作により、内筒と外筒の各貫通孔に位置するコード設定用のスペーサの数が前のコードから変わり、錠はその解錠用のキーコードが新たなキーのためのコードに変更され、錠の解錠キーは新たなキーに変換される。このようなキー変換式錠は、下記特許文献２などに記載されている。
【特許文献１】実開昭６０−２５８５号公報
【特許文献２】特開２００１−３２５８３号公報
【発明の開示】
【発明が解決しようとする課題】
【０００７】
ところで、上記のキー変換式錠は、一般的なシリンダ錠と同様の大きさと形状をもって大量生産されているところ、近年のパチンコ機やスロットマシンにおいては、施錠装置を取り付ける前面枠または前扉の厚さが、高い装飾的機能を有するように、従来のものより厚く形成される傾向にある。
【０００８】
このため、従来の汎用のシリンダ錠と同様な大きさのキー変換式錠では、施錠装置の基枠体の取付板の正面側に、そのまま取り付けた場合、キー変換式錠の長さが扉の厚さに比べ短いために、施錠装置を前面枠または前扉の内側に取り付けた場合、鍵穴の位置が前面枠（前扉）の表面に現われない。そこで、キー変換式錠の鍵穴面から錠軸先端までの長さを長くするように、カバーと連結軸を錠に組み付けた構造のものが検討されている。
【０００９】
しかし、キー変換式錠には、上記のように、キーの変換操作を行なう際に操作するリセットピン用の操作ノブが錠の背面に設けられているため、汎用のシリンダ錠と略同じ形状のキー変換式錠の背面側にカバーと連結軸を単純に組み付けただけでは、操作ノブがカバーによって隠れてしまい、キーの変換操作の際、リセットピン用の操作ノブの操作が難しいという課題があった。
【００１０】
本発明は、上記の点に鑑みてなされたもので、既存の変換式錠の鍵穴面から錠軸までの長さを長くして使用できると共に、キーの変換操作を容易に行うことができるキー変換式錠を提供することを目的とする。
【課題を解決するための手段】
【００１１】
上記目的を達成するために、本発明の請求項１のキー変換式錠は、末端にフランジ部を設けた外筒と、該外筒の内側に回動可能に嵌挿された内筒と、該内筒の端部近傍に該内筒と係合可能に該外筒の内側に配設された錠軸と、を備えてなる変換式錠本体を先端部に有したキー変換式錠であって、
該変換式錠本体の内筒と外筒には各々複数の貫通孔が軸方向と直角に、該内筒の貫通孔と外筒の貫通孔が各々連通可能な対応位置に穿設され、該内筒と錠軸間にリセット用貫通孔が穿設され、リセット用貫通孔にはリセットピンが錠軸と内筒を係合させるために挿入され、該リセットピンの係合を解除させるために操作ノブが変換式錠本体の末端に移動可能に設けられ、内筒と外筒の複数の貫通孔には、各々ドライブピンとコード設定用スペーサとベースピンがコイルばねにより付勢されて挿入され、該変換式錠本体のフランジ部の下部に延設ブロックが固定され、該延設ブロック内に連結軸が該変換式錠本体の錠軸と連結して回動可能に嵌入される共に、操作軸が前記操作ノブと係合し且つ回動可能に嵌入され、該操作軸の回動により該操作ノブが移動してキー変換のためのリセットが行われることを特徴とする。
【００１２】
ここで、請求項２のように、上記操作軸の末端に係合摘み部を形成し、延設ブロックの端面に該係合摘み部を露出または突出させることができる。
【００１３】
また、請求項３のように、上記連結軸は延設ブロックに設けた軸用凹部に挿入され、嵌着保持部材を該連結軸の上から該軸用凹部内に嵌め込んで該連結軸を回動可能に保持し、前記操作軸は延設ブロックに設けた操作軸用凹部に挿入され、嵌着保持部材を該操作軸の上から該操作軸用凹部内に嵌め込んで該操作軸を回動可能に保持することができる。
【発明の効果】
【００１４】
上記構成のキー変換式錠は、パチンコ機の前面枠或はスロットマシンの前扉を施錠する施錠装置の基枠体に、その延設ブロックの末端のフランジを介して取り付けて使用される。例えば、基枠体の取付板に設けた開口部に延設ブロックの末端のフランジを嵌め込むように固定すれば、操作軸の末端の摘み部は基枠体の内側に突出した状態に配設することができる。キー変換式錠の延設ブロックの末端から突出する連結軸の端部にはカム板が固定され、カム板は錠軸及び連結軸の回動時に、基枠体内の連結杆に係合可能である。
【００１５】
キー変換式錠は、変換式錠本体の末端部に取り付けた延設ブロックを介して施錠装置の基枠体に固定され、変換式錠本体の先端の鍵穴は前方に突き出されて配置される。このため、施錠装置の基枠体が取り付けられるパチンコ機或はスロットマシンの前面枠或は前扉の厚さが厚い場合でも、その変換式錠本体の先端の鍵穴面は、前面枠或いは前扉の正面に達して露出し、解錠キーを鍵穴に挿入して良好に解錠操作を行なうことができる。また、錠の主要部となる変換式錠に、大量生産されている汎用のキー変換式錠を使用することができるため、鍵穴から錠軸（連結軸）の先端までの長さが長い長尺形状のキー変換式錠を、低コストで製造することができる。
【００１６】
キー変換式錠の解錠キーを変換する場合、現状の解錠キーを鍵穴に挿入し、延設ブロックの末端から突出した操作軸の末端の係合摘み部を把持して操作軸を回すと、その操作軸の先端に係合するリセット用の操作ノブがリセット位置に移動し、その状態で、そのキーを所定角度回し、そのキーに代えて新たなキーを挿入し、所定角度戻すように回動することにより、新たなキーに変換される。したがって、延設ブロックの操作軸を回動させて、操作ノブをリセット位置に動かすことにより、解錠キーの変換を簡単に行なうことができる。
【００１７】
また、請求項３のように、延設ブロックに設けた軸用凹部に連結軸を挿入し、軸用凹部内の連結軸の上から嵌着保持部材を嵌め込むことにより連結軸を回動可能に保持し、さらに、延設ブロックに設けた操作軸用凹部に操作軸を挿入し、操作軸用凹部内の操作軸の上から嵌着保持部材を嵌め込むことにより操作軸を回動可能に保持する構成とすれば、延設ブロックとそこに嵌め込む連結軸と操作軸を比較的簡単に構成して、製造時の組み立て作業時には延設ブロック内に連結軸と操作軸を容易に組み付けることができる。
【発明を実施するための最良の形態】
【００１８】
以下、本発明の実施の形態を図面に基づいて説明する。図１はキー変換式錠の斜視図を示し、図２はその左側面図を示している。また、図３はその正面図を、図４はその背面図を示し、図５，６はその分解斜視図を示している。このキー変換式錠１は、基本的には、キーコードを変更して解錠キーを変換可能な変換式錠本体２を先端に取り付けたキー変換式錠であり、変換式錠本体２のフランジ部７の下部に、延設ブロック１０を固定し、その延設ブロック１０内に、連結軸１５を変換式錠本体２の錠軸５の端部と連結させて回動可能に嵌入し、さらに操作軸１８を変換式錠本体２の操作ノブ６と係合可能に且つ回動可能に嵌入し、操作軸１８の回動により操作ノブ６を動かすように構成される。
【００１９】
変換式錠本体２は、汎用のシリンダ錠と同様な大きさの円筒形の外筒３と、その外筒３の内側に回動可能に嵌挿された内筒４と、その内筒４の先端に係合可能に外筒内に配設された錠軸５と、を備えて構成され、内筒４と外筒３には、図示を省略しているが、各々複数の貫通孔が軸方向と直角に、内筒４の貫通孔と外筒３の貫通孔は各々連通可能な位置に穿設される。
【００２０】
また、外筒３にはスペーサ供給用貫通孔が、コード設定用スペーサを供給するために穿設されている。このスペーサ供給用貫通孔は上記貫通孔に対し１８０度の角度位置に設けられる。そして、内筒４と外筒３の上記貫通孔には、各々ドライブピンとコード設定用スペーサとベースピンがコイルばねにより内側に付勢されて挿入され、スペーサ供給用貫通孔には、ドライブピンとコード設定用スペーサがコイルばねと共に挿入されている。
【００２１】
さらに、内筒４と錠軸５間にリセット用孔が穿設され、リセット用孔にはリセットピンが錠軸５と内筒４を係合させるために、操作ノブ６（図７）により移動可能に挿入される。この操作ノブ６は、図７に示すように、変換式錠本体２のフランジ部７の背面に覆うように取り付けたカバー板８から突出し、内側（錠軸５側）に移動可能に配設されている。フランジ部７の両端部には、固定ねじ９の挿入用の孔が穿設されている。
【００２２】
すなわち、内筒４と錠軸５間に穿設されたリセット用孔には、コイルばねと共にリセットピンが挿入され、このリセットピンを操作ノブ６によりコイルばねの付勢力に抗して押し込んだとき、リセットピンの端面が内筒４と錠軸５の境界線と一致し、この状態では内筒４に挿入した解錠キーを回すことにより、内筒４のみを（錠軸５を切り離して）回動させることが可能となる。操作ノブ６の非操作時にはリセットピンが内筒４と錠軸５の境界線を横断して位置し、内筒４と錠軸５はリセットピンによって連結され、共に回動する。
【００２３】
解錠キーを変換する場合には、現状の解錠キーを変換式錠本体２の鍵穴に挿入し、リセット用の操作ノブ６をリセット位置つまり内側に押して移動させた状態で、そのキーを１８０度回動させる。このとき、内筒４のみが１８０度回動し、内筒４内の貫通孔が外筒３内のスペーサ供給用貫通孔と連通した状態となり、各貫通孔のコード設定用スペーサが内筒の貫通孔とスペーサ供給用貫通孔に集まる。そして、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００２４】
上記構成の変換式錠本体２におけるフランジ部７の背面（底面）に、延設ブロック１０が固定ねじ９により固定される。延設ブロック１０は、図５、図６に示すように、上記フランジ部７の平面形状と同じ形状を有した取付面が形成され、その正面の取付面の両端部に、フランジ部７の孔７ａと対応した位置に、固定ねじ孔１３が穿設される。延設ブロック１０はその先端の取付面をフランジ部７の背面に密着させ、固定ねじ９をねじ孔にねじ込み、締め付け固定されている。延設ブロック１０の末端部には、後述の施錠装置の基枠体３１に固定するために、取付孔を有した取付フランジ１４が設けられている。
【００２５】
延設ブロック１０の略中央には長手方向に沿って軸用凹部１１が形成され、軸用凹部１１は、その内側に、上記変換式錠本体２の錠軸５の端部と連結される連結軸１５を回動可能に嵌入させるために、形成されている。さらに延設ブロック１０には、軸用凹部１１に隣接して操作軸用凹部１２が、上記操作ノブ６と係合する操作軸１８を回動可能に嵌入させるために、形成されている。つまり、操作軸用凹部１２は、そこに嵌入される操作軸１８の先端が、変換式錠本体２のフランジ部背面の操作ノブ６に係合する対応位置に位置決めされて形成されている。
【００２６】
上記軸用凹部１１と操作軸用凹部１２は、その凹部に連結軸１５、操作軸１８を嵌入したとき、その上部に開口が生じ、その開口を閉鎖するように、嵌着保持部材２０，２１が嵌着される。この嵌着保持部材２０，２１は、軸用凹部１１内の連結軸１５と操作軸用凹部１２内の操作軸１８を回動可能に保持するように、開口に嵌め込まれ、固定される。延設ブロック１０と嵌着保持部材２０，２１は、合成樹脂によりまたは金属により成形され、延設ブロック１０の凹部に対し嵌着保持部材２０，２１は、凹部と凸部の嵌合により、或は逆止片と係止部の嵌着により固定されるが、接着剤若しくは溶着により或はねじ止めにより固定することもできる。
【００２７】
連結軸１５は、図５に示すように、その先端部に上記錠軸５の先端を嵌合させる嵌合凹部１５ａが形成され、その末端に軸端部１５ｂが突設されている。連結軸１５はその嵌合凹部１５ａを介して錠軸５と連結され、錠軸５の回転が連結軸１５にそのまま伝達される。
【００２８】
操作軸１８は、図５、図８に示すように、その先端部に上記操作ノブ６を収容するための係合凹部１８ａが約９０度の扇形に切り欠いて形成され、その末端に摘み部１８ｂが形成されている。延設ブロック１０を変換式錠本体２のフランジ部７の背面に固定した状態において、操作ノブ６は、操作軸１８の先端の係合凹部１８ａ内に進入する。そして、図８に示すように、操作軸１８を反時計方向に回したとき、操作ノブ６が係合凹部１８ａの壁面に押され、内側に移動する構造になっている。なお、操作軸１８と延設ブロック１０間にはばね部材１９が装着され、操作軸１８を、図８の時計方向に回動させるように付勢している。
【００２９】
連結軸１５と操作軸１８は、その先端と末端に段差を介して小径部が設けられ、延設ブロック１０の軸用凹部１１と操作軸用凹部１２の先端部と末端部にそれに対応した内フランジ部が設けられ、連結軸１５と操作軸１８の小径部が軸用凹部１１と操作軸用凹部１２の内フランジ部にはめ込まれ、これにより連結軸１５と操作軸１８は、回動可能で且つ軸方向に拘束された状態に保持される。
【００３０】
上記のように構成されたキー変換式錠１は、例えばスロットマシンの施錠装置の基枠体３１における取付板３２に、図９〜図１２のように取り付けられる。
【００３１】
施錠装置は、図９〜図１２のように、金属板をプレス加工して形成された縦長の基枠体３１を有し、基枠体３１は略断面Ｌ形に曲折された取付板３２と支持板３３を持ち、取付板３２の反支持板側の端部は、短い幅で外側に長手方向に沿って曲折され、取付板３２には上記キー変換式錠１の取付用の孔と複数の固定孔が穿設されている。
【００３２】
取付板３２に対し略直角に曲折された支持板３３の上部と下部近傍に幅広部が形成され、その部分に、鉤部材３５、３６が枢軸３７、３８により回動可能に軸支されている。鉤部材３５，３６は、その先端部が傾斜面を有したフック状に形成されている。
【００３３】
上下の鉤部材３５，３６は、図１２に示すように、鉛直姿勢の支持板３３に対し、各々略水平横方向に突出した状態で静止するが、このために、当接支持部３３ａが、上の鉤部材３５の元部下側に当接可能な位置に、支持板３３の一部を内側に切り起こした状態で設けられている。したがって、鉤部材３５，３６はその元部が連結杆３４を介して下側に付勢されることにより、略水平横方向に突出した状態で、その元部が当接支持部３３ａに当接し、静止する。
【００３４】
そして、鉤部材３５，３６は、そのような水平姿勢から下側に傾動可能に、枢軸３６、３７によって枢支されている。基枠体３１の支持板３３の内側に沿って帯状の連結杆３４が摺動可能に配設され、上下の鉤部材３５、３６の末端部に連結軸３９、４０を介して連結杆３４の上端と下端が連結される。したがって、連結杆３４が上方に摺動することにより、鉤部材３５、３６は下側の解錠位置に傾動する。連結杆３４にはこれを下側（施錠方向）に付勢するためのコイルばね４７が後述のスイッチ作動杆４５との間に装着されている。
【００３５】
図１１に示すように、鉤部材３５，３６を枢支した支持板３３の幅広部には、フック状の鉤部材３５，３６の係止凹部に対応した背後位置に、当接部３３ｂが設けられている。この当接部３３ｂは、前面枠５１が本体枠５０に対し閉じられ、鉤部材３５，３６が本体枠側の受け金具５３の板状係止部５４，５５に係止したとき、その当接部３３ｂに板状係止部５４，５５が当接可能とされ、不正行為によって前面枠５１が上方に持ち上げられた際、鉤部材３５，３６が下側に傾動して不正解錠される不具合を防止している。
【００３６】
取付板３２の上部と中間部と下部寄りに、山形のガイド支持部３２ａが連結杆３４をガイドするように、取付板３２の一部を内側に切り起して形成されている。連結杆３４はそのガイド支持部３２ａと支持板３３間に配設され、ガイド支持部３２ａと支持板３３により上下摺動可能にガイドされる。また、図１２のように、連結杆３４の一部に長孔３４ｂが穿設され、その長孔３４ｂにガイドピン４２が挿通されて支持板３３に固定され、連結杆３４はガイドピン４２により長手方向に摺動可能にガイドされる。また、連結杆３４の中間部には、カム板１６の係合凸部に係合可能な係合部３４ｃが形成されている。
【００３７】
さらに、取付板３２の中間部には、キー変換式錠１を取り付けるための幅広部が形成され、その幅広部に異形孔が形成され、その孔にキー変換式錠１が背面側から挿入され、そのフランジ部７を取付板３２の内側にねじ止めして、キー変換式錠１が取付板３２上に突出して取り付けられる。さらに、図１１、図１２に示すように、支持板３３と連結杆３４との間に、スイッチ作動杆４５が摺動可能に配設される。このスイッチ作動杆４５は、キー変換式錠１によりカム板１６を左に回したとき、そのカム板１６に係合して下側に摺動し、作動スイッチ４９をオンオフ動作させるように構成される。連結杆３４とスイッチ作動杆４５の間にコイルばね４７が掛けられ、このコイルばね４７のばね力によって連結杆３４は下側に付勢され、スイッチ作動杆４５は上側に付勢されている。
【００３８】
キー変換式錠１の連結軸１５における軸端部１５ｂの先端に、カム板１６が固定される。図１１に示すように、カム板１６には２つの係合凸部が設けられ、連結杆３４の対応箇所には、一方の係合凸部と係合可能な係合部３４ｃが設けられ、スイッチ作動杆４５には他方の係合凸部と係合可能な係合凹部が設けられる。カム板１６はキー変換式錠１のキーを右に回した時、連結杆３４と係合して連結杆３４を上方に移動させ、カム板１６はキーを左に回した時、スイッチ作動杆４５と係合してこれを下方に摺動させる。
【００３９】
図１１に示すように、スイッチ作動杆４５の下端部に対向した位置の取付板３２上に、透過型の光電スイッチ、近接スイッチなどの非接触式の作動スイッチ４９が取り付けられ、キー変換式錠１を左に回し、スイッチ作動杆４５が下に移動したとき、その端部を検知してリセット信号などの信号を出力する。
【００４０】
支持板３３の下部の幅広部には、合成樹脂製のローラ４８が回転自在に軸支される。このローラ４８は、前面枠５１の閉鎖時に受け金具５３に設けたローラ受け５７上を転動して前面枠５１を支持する。また、図１２のように、支持板３３と反対側の取付板３２の側縁部には、縁部を直角に曲げて側壁３２ｂが形成され、これによって、基枠体３１を補強すると共に、カム板１６やその係合部分に、針金等を侵入させないようにしている。
【００４１】
このように構成された施錠装置は、図１３に示すように、ゲーム機例えばスロットマシンの前面枠（前扉）５１の内側に基枠体３１の取付板３２を縦に固定して装着され、ゲーム機の本体枠５０側の対応位置に受け金具５３が取り付けられる。
【００４２】
受け金具５３は、図１３のように、縦長の基板の上部と下部に、板状係止部５４，５５を突設して形成され、板状係止部５４，５５は施錠装置側の鉤部材３５、３６の対向位置に配置される。さらに、受け金具５３の板状係止部５５の下側にはローラ受け５７が設けられる。また、受け金具５３の側部には、長尺の基板の側縁に沿った側縁部として隙間覆い部が設けられる。
【００４３】
施錠するために、前面枠５１を本体枠５０に対し閉じると、先ず、鉤部材３５，３６の傾斜面が受け金具５３の板状係止部５４，５５の端部に接触して鉤部材３５，３６が下側に傾動し、鉤部材３５，３６の係止凹部が板状係止部５４，５５に係合したとき、図１３のように、鉤部材３５，３６が上側に傾動復帰して施錠状態となる（図９）。
【００４４】
一方、前面枠５１を開くために、解錠キーをキー変換式錠１に挿入し、それを右に回すと、変換式錠本体２の錠軸５及びカム板１６が同方向に回動し、カム板１６との係合により連結杆３４がコイルばね４７の付勢力に抗して上方に移動し、これにより、上下の鉤部材３５、３６が下側に傾動して、本体枠５０側の受け金具５３の係止部５４，５５との係合を外し、解錠状態となる。
【００４５】
一方、ゲーム機をリセットする場合、解錠キーをキー変換式錠１に挿入し、それを左に回すと、錠軸５及びカム板１６が同方向に回動し、カム板１６との係合によりスイッチ作動杆４５がコイルばね４７の付勢力に抗して下方に移動する。このとき、作動スイッチ４９がこのスイッチ作動杆４５の下端部を検知して信号を出力し、この信号がリセット信号として送出される。
【００４６】
一方、この施錠装置の解錠キーを、新たなキーに変換する場合、現状の解錠キーを使用して前面枠５１を開放し、その状態で、前面枠５１の内側に指を挿入し、基枠体３１の内側の延設ブロック１０の背面に位置するリセット用の操作ノブ６に連係された操作軸１８の摘み部１８ｂを把持して回す。
【００４７】
このとき、図８に示すように、操作軸１８の回動により、変換式錠本体２の操作ノブ６が内側つまりリセット側に移動し、その状態で、解錠キーを１８０度回動させる。この操作軸１８及び操作ノブ６の動作によって、錠のリセットピンが押されて、内筒４と錠軸５の係合が解除され、内筒４のみが１８０度回動する。このとき、内筒４内の貫通孔が外筒３内のスペーサ供給用貫通孔と連通した状態となり、各貫通孔のコード設定用スペーサが内筒の貫通孔とスペーサ供給用貫通孔に集まる。
【００４８】
次に、現状の解錠キーを抜いて新たなキーを鍵穴に挿入すると、その新たなキーの溝の深さに応じて、コード設定用スペーサがスペーサ供給用貫通孔から内筒４の貫通孔に移動し、キーコードが新たなキーに対応したコードに変更される。この状態で、キーを元の位置に戻すように１８０度回動すれば、リセットピンが内筒４と錠軸５を連結する位置に戻り、内筒４と錠軸５が一体に回動する状態となり、解錠キーが新たなキーに変換される。
【００４９】
このように、汎用の変換式錠を使用しそのフランジ部の背面に延設ブロック１０を取り付けて長尺状としたキー変換式錠１であっても、延設ブロック１０の背面に操作軸１８の摘み部１８ｂを突出させているため、その摘み部１８ｂを把持して操作軸１８を回し、簡単な操作で解錠キーの変換を行なうことができる。したがって、スロットマシンのように厚さの厚い前面枠（前扉）をもったゲーム機でも、汎用の変換式錠を使用して低コストで施錠装置を製造することができる。
【００５０】
また、スロットマシンの厚い前扉を施錠する施錠装置のみではなく、近年のパチンコ機における厚い前面枠にも、上記キー変換式錠を有する施錠装置を使用し、解錠キーを容易に変換することができる。
【００５１】
なお、上記実施形態では、操作軸をその軸の周りで回動させて操作ノブを移動させたが、操作軸の略中央を軸支し、その軸を支点に操作軸を揺動（回動）させて、操作ノブを移動させることもできる。
【００５２】
また、上記実施形態では、操作軸１８の末端に摘み部１８ｂを突出させて設けたが、摘み部の先端に、ドライバーの先端が係合可能な係合部分を設けて係合摘み部とし、ドライバーにより操作軸１８を回すようにすることもできる。その場合、係合摘み部は突出させずに露出させるのみとすることもできる。
【図面の簡単な説明】
【００５３】
【図１】本発明の一実施形態を示すキー変換式錠の正面図である。
【図２】同錠の左側面図である。
【図３】同錠の正面図である。
【図４】同錠の背面図である。
【図５】同錠の分解斜視図である。
【図６】同錠の一部を組み付けた状態の分解斜視図である。
【図７】変換式錠本体２の斜視図である。
【図８】（ａ）と（ｂ）は操作軸１８の係合凹部１８ａと操作ノブ６の関係を示す説明図である。
【図９】キー変換式錠を取り付けた施錠装置の左側面図である。
【図１０】キー変換式錠を取り付けた施錠装置の正面図である。
【図１１】キー変換式錠を取り付けた施錠装置の背面図である。
【図１２】同施錠装置の右側面図である。
【図１３】同施錠装置の使用状態を示す断面付き左側面図である。
【符号の説明】
【００５４】
１−キー変換式錠
２−変換式錠本体
３−外筒
４−内筒
５−錠軸
６−操作ノブ
７−フランジ部
１０−延設ブロック
１１−軸用凹部
１２−操作軸用凹部
１５−連結軸
１８−操作軸
１８ｂ−摘み部
【図１】
2006288487.tif 000003
【図２】
2006288487.tif 000004
【図３】
2006288487.tif 000005
【図４】
2006288487.tif 000006
【図５】
2006288487.tif 000007
【図６】
2006288487.tif 000008
【図７】
2006288487.tif 000009
【図８】
2006288487.tif 000010
【図９】
2006288487.tif 000011
【図１０】
2006288487.tif 000012
【図１１】
2006288487.tif 000013
【図１２】
2006288487.tif 000014
【図１３】
2006288487.tif 000015